(57)【要約】【課題】複数の浴室設備を選択的に利用可能としたり、複数人で利用可能としたりしたユニットシステムを提供する。【解決手段】浴室設備１５、洗面設備、便所設備、脱衣所設備のいずれかもしくはこれらを複合した設備を備えた複数種のユニット１から、少なくとも二つのユニット１を選択すると共に、選択したユニット１を隣り合わせて配置し、隣り合うユニット１を連通させる利用者往来用の連通口５を、前記隣り合うユニット１の間に設けた。【選択図】図１
2014080759.tif 000002
【特許請求の範囲】
【請求項１】
浴室設備、洗面設備、便所設備、脱衣所設備のいずれかもしくはこれらを複合した設備を備えた複数種のユニットから、少なくとも二つの前記ユニットを選択すると共に、選択した前記ユニットを隣り合わせて配置し、隣り合う前記ユニットを連通させる利用者往来用の連通口を、前記隣り合う前記ユニットの間に設けたものであることを特徴とするユニットシステム。
【請求項２】
隣り合う前記ユニットは各々、相手の前記ユニットと隣り合う壁面に、開口部を向かい合って備え、
前記連通口の枠体を、向い合う前記開口部に跨って設けたものであることを特徴とする請求項１に記載のユニットシステム。
【請求項３】
隣り合う前記ユニットは各々、前記壁面を形成する壁パネルを備え、
前記枠体は、前記向かい合う前記開口部の側端に跨る縦枠部を備え、
前記向かい合う前記開口部の前記側端に跨る補強部材を、前記縦枠部の外側に設け、
前記壁パネルの前記側端を形成する側端片を介在して、前記縦枠部を前記補強部材に固定したものであることを特徴とする請求項２に記載のユニットシステム。
【請求項４】
隣り合う前記ユニットは各々、床パンを備え、
前記床パンは、前記隣り合う前記ユニット側の前記開口部を除く外周端に、立上り片を備え、
前記隣り合う前記ユニットの前記立上り片同士を接続する接続部材を設け、
前記接続部材は、前記立上り片同士を前記隣り合う方向において挟持して前記間を所定の寸法に保持する上部材と、前記上部材の下方に配置し前記上部材と共に前記立上り片を上下方向において挟持する下部材とを備えたものであることを特徴とする請求項２又は３に記載のユニットシステム。
【請求項５】
前記枠体は、前記向かい合う前記開口部の下端に跨る下枠部を備え、
前記下枠部を前記開口部の前記下端に固着具で固定し、
前記下枠部は、前記固着具設置用の凹みを有し、
前記凹みを覆うカバーを、前記凹みとの間に止水部材を介在して前記下枠部に脱着自在で取り付けたものであることを特徴とする請求項４に記載のユニットシステム。
【請求項６】
選択された前記ユニットのうち、少なくとも二つの前記ユニットは各々、前記浴室設備として少なくとも入浴設備を備えたものであることを特徴とする請求項１乃至５のいずれか一項に記載のユニットシステム。
【発明の詳細な説明】
【技術分野】
【０００１】
本発明は、ユニットを用いたユニットシステムに関する。
【背景技術】
【０００２】
従来では、一つのユニットで一つの浴室を形成している。そして、ユニットは、浴槽用の浴槽パンと、洗い場用の洗い場パンとを冶具等で接続して床パンを形成したものや、複数の壁パネルを隣接配置すると共に冶具等で接続して壁面を形成したもの等がある（例えば特許文献１参照）。
【先行技術文献】
【特許文献】
【０００３】
【特許文献１】特開平８−１９６４６９号公報
【発明の概要】
【発明が解決しようとする課題】
【０００４】
ところで、ユニットは、浴室設備等の諸設備を設置可能な数が限られている。このため、例えば、異なる入浴設備等の複数種の諸設備を選択的に利用することや、複数人で個別に諸設備を利用すること等が行い難いという問題がある。
【０００５】
本発明は、前記事情に鑑みてなされたものであって、複数種の諸設備を選択的に利用可能としたり、複数人で利用可能としたりしたユニットシステムを提供することを課題とする。
【課題を解決するための手段】
【０００６】
前記課題を解決するために本発明は、浴室設備、洗面設備、便所設備、脱衣所設備のいずれかもしくはこれらを複合した設備を備えた複数種のユニットから、少なくとも二つの前記ユニットを選択すると共に、選択した前記ユニットを隣り合わせて配置し、隣り合う前記ユニットを連通させる利用者往来用の連通口を、前記隣り合う前記ユニットの間に設けたものであることを特徴とする。
【０００７】
また、本発明は、隣り合う前記ユニットは各々、相手の前記ユニットと隣り合う壁面に、開口部を向かい合って備え、前記連通口の枠体を、向い合う前記開口部に跨って設けたものであることが好ましい。
【０００８】
また、本発明は、隣り合う前記ユニットは各々、前記壁面を形成する壁パネルを備え、前記枠体は、前記向かい合う前記開口部の側端に跨る縦枠部を備え、前記向かい合う前記開口部の前記側端に跨る補強部材を、前記縦枠部の外側に設け、前記壁パネルの前記側端を形成する側端片を介在して、前記縦枠部を前記補強部材に固定したものであることが好ましい。
【０００９】
また、本発明は、隣り合う前記ユニットは各々、床パンを備え、前記床パンは、前記隣り合う前記ユニット側の前記開口部を除く外周端に、立上り片を備え、前記隣り合う前記ユニットの前記立上り片同士を接続する接続部材を設け、前記接続部材は、前記立上り片同士を前記隣り合う方向において挟持して前記間を所定の寸法に保持する上部材と、前記上部材の下方に配置し前記上部材と共に前記立上り片を上下方向において挟持する下部材とを備えたものであることが好ましい。
【００１０】
また、本発明は、前記枠体は、前記向かい合う前記開口部の下端に跨る下枠部を備え、前記下枠部を前記開口部の前記下端に固着具で固定し、前記下枠部は、前記固着具設置用の凹みを有し、前記凹みを覆うカバーを、前記凹みとの間に止水部材を介在して前記下枠部に脱着自在で取り付けたものであることが好ましい。
【００１１】
また、本発明は、選択された前記ユニットのうち、少なくとも二つの前記ユニットは各々、前記浴室設備として少なくとも入浴設備を備えたものであることが好ましい。
【発明の効果】
【００１２】
本発明は、二つ以上のユニットを一つのユニットシステムとして利用することができる。これによって、本発明は、複数種の諸設備を選択的に利用可能としたり、各ユニットや諸設備を複数人で個別に利用可能としたりすることができる。
【図面の簡単な説明】
【００１３】
【図１】ユニットシステムの一部を省略した平面図である。
【図２】図１のＢ−Ｂ断面図である。
【図３】ユニットシステムの斜視図である。
【図４】床パンの開口部周辺の斜視図である。
【図５】図４の領域Ｅ１の拡大図を示し、（ａ）は接続部材取付直前の状態であり、（ｂ）は接続部材取付後の状態である。
【図６】（ａ）は図５（ｂ）のＤ−Ｄ断面図であり、（ｂ）は立上り片を点線で示した図５（ｂ）のＥ−Ｅ断面図である。
【図７】接続部材の変形例を示し、（ａ）は図５（ｂ）のＤ−Ｄ断面図であり、（ｂ）は立上り片を点線で示した図５（ｂ）のＥ−Ｅ断面図である。
【図８】接続部材の他の変形例を示し、（ａ）は図５（ｂ）のＤ−Ｄ断面図であり、（ｂ）は立上り片を点線で示した図５（ｂ）のＥ−Ｅ断面図である。
【図９】枠体の斜視図である。
【図１０】連通口の説明図を示し、（ａ）は開口部への枠体取付直前の状態であり、（ｂ）は壁パネルへの枠体固定直前の状態である。
【図１１】図２の連通口周辺の拡大図である。
【図１２】枠体の下端部周辺の斜視図を示し、（ａ）は止水ブロック無しの状態であり、（ｂ）は止水ブロック有りの状態である。
【図１３】止水ブロックの断面図である。
【図１４】（ａ）はカバーの斜視図であり、（ｄ）はカバー取付直前の連通口周辺の拡大図である。
【図１５】図１２の位置における枠体の下端部にカバーを取り付けた状態を示し、（ａ）は斜視図であり、（ｂ）は止水ブロック周辺での断面図であり、（ｃ）は幅方向中央側での断面図である。
【図１６】（ａ）は縦枠部周辺の分解斜視図であり、（ｂ）は図１４（ｂ）のＨ−Ｈ断面図である。
【図１７】（ａ）は第１ユニットと第３ユニットとで形成した変形例の一部を省略した平面図であり、（ｂ）は第２ユニットと第４ユニットとで形成した変形例の一部を省略した平面図である。
【図１８】三つのユニットを直線状に並べて形成した変形例の一部を省略した正面図である。
【発明を実施するための形態】
【００１４】
以下、本発明を添付図面に基づいて説明する。本実施形態のユニットシステム（以下、本システムとする）は、浴室設備１５、洗面設備、便所設備、脱衣所設備等の諸設備のいずれかを備えた複数種のユニット１（ユニットルーム）で形成される。本システムは、複数種のユニット１から、少なくとも二つのユニット１を選択する。そして、本システムは、図１乃至図３に示すように、この選択した二つ以上のユニット１を隣り合わせて配置して形成される。更に、本システムは、隣り合うユニット１同士を連通させる利用者往来用の連通口５を、この隣り合うユニット１の間に設けてある。言い換えると、本システムは、連通口５によって複数のユニット１を連通・接続したユニット群で形成してある。
【００１５】
本システムにおいて、ユニット１は、例えば、浴室設備１５を各々備えた浴室ユニット１１になっている。浴室設備１５は、例えば、入浴設備１５ａや、水栓装置１５３や、シャワー装置１５４等になっており、入浴設備１５ａは、例えば、浴槽１５１やシャワー浴装置１５２やサウナ浴装置等となっている。
【００１６】
また、ユニット１は各々、平面視矩形の箱状に形成してある。そして、各ユニット１は、建物に既設の部屋内に設けられる。このため、前記部屋の内壁は、ユニット１の内壁で形成される。そして、前記ユニット群には、前記部屋と外部空間との利用者往来用の出入口１１１が、連通口５とは別に設けてある。出入口１１１は、一つ以上のユニット１に設けられる。このため、前記ユニット群は、出入口１１１によって、建物に既設の他の部屋等の一つ或いは複数の外部空間（不図示）に連通・接続して配置される。
【００１７】
本システムにおいて、前記外部空間は、例えば、建物に既設の脱衣室になっている。この脱衣室は、平面視矩形状の部屋になっている。そして、前記脱衣室の一端には、両ユニット１の出入口１１１が連通・接続してある。このため、二つのユニット１は、前記脱衣室の前記一端辺に沿って並んで配置してある。そして、二つのユニット１は前記一端辺に沿った向きで隣り合っている。言い換えると、二つのユニット１は、同じ脱衣室に接続してあり、隣り合って並んで配置してある。
【００１８】
以下の説明においては、前記脱衣室の前記一端辺に沿った向きすなわちユニット１の隣り合う方向を左右方向とし、左右方向に直交してユニット１から脱衣室に向かう方向を前方とし、この前方に対する反対側の向きを後方とする。そして、両ユニット１を区別する場合には、正面視において（後方に向かって視て）、左側のユニット１を第１ユニット１１ａとし、右側のユニット１と第２ユニット１１ｂとする。
【００１９】
第１ユニット１１ａは、前端の右側に出入口１１１が設けてあり、出入口１１１を介して前記脱衣室に連通・接続している。そして、第１ユニット１１ａは、右端（右側の壁面）の前後方向の略中央に連通口５（詳細は後述する）用の開口部１２（第１開口部１２ａ）が設けてある。第１開口部１２ａは、側面視矩形の枠状に形成してある。
【００２０】
また、第１ユニット１１ａは、床パン２（第１床パン２１ａ）と、壁パネル３（第１壁パネル３ａ）と、天井パネル４（第１天井パネル４ａ）とを備える。第１床パン２１ａは、平面視矩形状に形成してある。第１床パン２１ａは、入浴設備１５ａとしての浴槽１５１が、左側に設置してある。そして、第１床パン２１ａは、第１開口部１２ａの位置に、連通口５用の設置面２５が設けてある。この設置面２５は、床面より一段低く形成してあり、上面が略水平面になっている。そして、この設置面２５が、第１開口部１２ａの下端部１２１（詳細は後述する）として機能する。
【００２１】
第１床パン２１ａは、図４や図５に示すように、第１床パン２１ａの端辺全周のうち、出入口１１１及び第１開口部１２ａの下端部１２１を除く部位の略全体に亘って、立上り片２２（第１立上り片２２ａ）が設けてある。立上り片２２は、水返し片２３（第１水返し片２３ａ）と、壁パネル３用の設置部２４（第１設置部２４ａ）とを有する。
【００２２】
第１水返し片２３ａは、第１床パン２１ａの床面から上方に立ち上がっており、第１床パン２１ａと一体に形成してある。このため、第１床パン２１ａは、第１水返し片２３ａによって、第１床パン２１ａ外への水撥ねを抑制している。
【００２３】
第１設置部２４ａは、第１水返し片２３ａの上端に設けてある。第１設置部２４ａは、平面視において第１床パン２１ａから離れる向きで、第１水返し片２３ａから突出しており、第１水返し片２３ａと一体に形成してある。そして、第１設置部２４ａは、断面略Ｌ字状になっており、第１水返し片２３ａから上方に突出して形成してある。言い換えると、第１設置部２４ａは、第１水返し片２３ａの上端から略水平に突出した横片２４１（第１横片２４１ａ）と、第１横片２４１ａの突出先端から略垂直に立ち上がる縦片２４２（第１縦片２４２ａ）を有する。以下、平面視において、床パン２から離れる向き（ユニット１の室外側）を室外側とし、反対の向きを室内側とする。
【００２４】
また、第１立上り片２２ａは、第１開口部１２ａに至る端部（前端、後端）に、板状部２２１（第１板状部２２１）が夫々設けてある。第１板状部２２１は、板面を前後方向に向けて形成してある。そして、第１板状部２２１は、第１水返し片２３ａ及び第１設置部２４ａの前記各端部の全体から室外側に突出しており、第１水返し片２３ａ及び第１設置部２４ａ、第１開口部１２ａの下端部１２１（床パン２）と一体に形成してある。なお、第１開口部１２ａの下端部１２１（設置面２５）の室内側の端辺は、本例において第１立上り片２２ａより室内側に位置しているが、第１立上り片２２ａと前後方向に略並んで位置してもよい。
【００２５】
第１壁パネル３ａは、図１や図２に示すように、矩形板状に形成してある。第１壁パネル３ａは、複数設けてある。第１壁パネル３ａは、第１設置部２４ａの上方に取り付けてある。そして、第１壁パネル３ａは、第１設置部２４ａの平面視略全長に亘って配置されており、出入口１１１及び第１開口部１２ａに配置されない。更に、複数の第１壁パネル３ａは、隣接した状態で、第１設置部２４ａに沿って配置される。
【００２６】
このため、第１壁パネル３ａは、ユニット１を配置した前記部屋において、第１ユニット１１ａ側の空間の内壁を形成している。そして、第１ユニット１１ａの後側の壁面の右側には、洗面台が設けてある。該洗面台は、カラン（水栓装置１５３）と、鏡と、ハンドシャワー（シャワー装置１５４）とを備える。言い換えると、第１ユニット１１ａは、浴室設備１５として、入浴設備１５ａと、水栓装置１５３と、シャワー装置１５４とを備える。
【００２７】
更に、第１壁パネル３ａは、板面において上下方向に直交する端部（板の側端）に、側端片３１（第１側端片３１ａ）が設けてある。第１側端片３１ａは、前記側端から室外側に突出して形成してある。そして、第１側端片３１ａは、隣接する他の第１壁パネル３ａの第１側端片３１ａに、例えばジョイナー（不図示）を用いる等で、固定してある。言い換えると、隣接する二つの第１壁パネル３ａは、第１側端片３１ａで互いに固定される。
【００２８】
また、第１壁パネル３ａの上端部は、略全周に亘って室外側に凹んでいる。言い換えると、第１壁パネル３ａは、室内側に開口した凹部３３を、上端部に有する。そして、凹部３３の底（室外側の部位）を形成する第１壁パネル３ａの背板部３２（第１背板部３２ａ）には、第１天井パネル４ａの外周端が載置される。
【００２９】
第１天井パネル４ａは、外周端に垂下片４１（第１垂下片４１ａ）が設けてある。第１垂下片４１ａは、第１天井パネル４ａから下方に突出しており、第１天井パネル４ａの外周端の略全周に亘って形成してある。そして、第１垂下片４１ａは、第１背板部３２ａの室外側を向く面（裏面）に当接される。第１垂下片４１ａは、この当接させた状態で、ねじ等の固着具８（第１の固着具８１）によって第１背板部３２ａに固定される。これによって、第１天井パネル４ａは、第１壁パネル３ａの上方に取り付けられる。
【００３０】
第２ユニット１１ｂは、床パン２（第２床パン２１ｂ）と、壁パネル３（第２壁パネル３ｂ）と、天井パネル４（第２天井パネル４ｂ）とを備える。そして、第２ユニット１１ｂは、第１ユニット１１ａと略左右対称に形成してある。このため、第２壁パネル３ｂは、ユニット１を配置した前記部屋において、第２ユニット１１ｂ側の空間の内壁を形成している。言い換えると、本システムは、ユニット１を配置した前記部屋の内壁を、第１壁パネル３ａ及び第２壁パネル３ｂで形成している。
【００３１】
更に、第２ユニット１１ｂは、前端の左側に出入口１１１が設けてあり、出入口１１１を介して前記脱衣室に連通・接続している。第２ユニット１１ｂは、左端（左側の壁面）の前後方向の略中央に連通口５（詳細は後述する）用の開口部１２（第２開口部１２ｂ）が設けてある。
【００３２】
このため、第２開口部１２ｂは、左右方向において第１開口部１２ａと向かい合って位置する。そして、第２開口部１２ｂは、側面視矩形の枠状に形成してあり、第１開口部１２ａと略同寸同形で開口している。言い換えると、第１ユニット１１ａと第２ユニット１１ｂは、互いの隣り合う壁面に、同形の開口部１２を向かい合って備える。
【００３３】
更に、第２ユニット１１ｂは、第２床パン２１ｂの右側に、浴槽１５１が設置されている。そして、第２ユニット１１ｂの後側の壁面の左側には、鏡及びハンドシャワー付きの前記洗面台が設けてある。言い換えると、第２ユニット１１ｂは、浴室設備１５として、入浴設備１５ａ（浴槽１５１）と、水栓装置１５３と、シャワー装置１５４とを備える。
【００３４】
以下、第１ユニット１１ａと区別する場合、第２床パン２１ｂの立上り片２２、水返し片２３、設置部２４、横片２４１、縦片２４２は夫々順番に、第２立上り片２２ｂ、第２水返し片２３ｂ、第２設置部２４ｂ、第２横片２４１ｂ、第２縦片２４２ｂとする。そして、第１ユニット１１ａと区別する場合、第２壁パネル３ｂの側端片３１、背板部３２は夫々順番に、第２側端片３１ｂ、第２背板部３２ｂとし、第２天井パネル４ｂの垂下片４１は第２垂下片４１ｂとする。
【００３５】
第１ユニット１１ａと第２ユニット１１ｂとは、図４乃至６に示すように、接続部材６を介して接続してある。接続部材６は、右端の第１立上り片２２ａ（第１水返し片２３ａ及び第１設置部２４ａ）と左端の第２立上り片２２ｂ（第２水返し片２３ｂ及び第２設置部２４ｂ）との間に設けてある。そして、接続部材６は、連通口５（第１開口部１２ａ及び第２開口部１２ｂ）の前後に夫々一つずつ配置してある。また、接続部材６は、上部材６１と下部材６６とを備える。以下、接続部材６を設けた前記間を、ユニット１間と記載する。
【００３６】
上部材６１は、下向きに開口した正面視矩形Ｃ字の板状部材で形成してある。そして、上部材６１は、第１縦片２４２ａの室内側の面（内面）に当接する第１当接片６２と、第２縦片２４２ｂの内面に当接する第２当接片６３と、第１当接片６２及び第２当接片６３を保持する保持部６４とを有する。
【００３７】
保持部６４は、下面（下方を向く板面）を第１縦片２４２ａの上端及び第２縦片２４２ｂの上端に当接した状態で、前記ユニット１間に配置される。そして、保持部６４は、左端から下方に第１当接片６２が突出し、右端から下方に第２当接片６３が突出する。
【００３８】
このため、上部材６１は、第１当接片６１及び第２当接片６３で、隣り合うユニット１の互いに背中合わせで位置する（裏面で向かい合う）縦片２４２を、左右方向に挟持する。これによって、上部材６１に当接された第１縦片２４２ａ及び第２縦片２４２ｂは、左右方向の位置が規定される。言い換えると、上部材６１は、前記ユニット１間を所定の寸法に規定する。
【００３９】
下部材６６は、板状部材で形成してあり、板面を上下方向に向けて前記ユニット１の間に配置される。そして、下部材６６は、左右方向の中央が上方に突出した形状になっている。言い換えると、下部材６６は、正面視上下逆様のＴ字状になっている。
【００４０】
そして、下部材６６の突出先端６６ａ（上端）は、固着具８（第２の固着具８２）を介して上部材６１（保持部６４）に取り付けられる。この状態で、下部材６６は、左端部が第１の止水部材９１を間に挟んで（介在して）第１横片２４１ａの下面に当接される。そして、前記状態で、下部材６６は、右端部が第２の止水部材９２を間に挟んで（介在して）第２横片２４１ｂの下面に当接される。
【００４１】
このため、接続部材６は、上部材６１と下部材６６の左右の端部とで、各設置部２４を夫々上下方向に挟持する。これによって、接続部材６は、上部材６１で規定した所定の寸法に前記ユニット１間を保持する。言い換えると、第１ユニット１１ａと第２ユニット１１ｂとは、接続部材６によって、左右方向において所定の寸法離れた状態に位置決め保持される。このため、接続部材６は、位置決め部材としての機能を有する。
【００４２】
なお、例えば、第１の止水部材９１は、上端を第１横片２４１ａの下面に当接した状態で、第１水返し片２３ａの外面に接着等で取り付けてある。第２の止水部材９２は、上端を第２横片２４１ｂの下面に当接した状態で、第２水返し片２３ｂの外面に接着等で取り付けてある。そして例えば、第１，第２の止水部材９１，９２は、下部材６６に取り付けてあってもよい。
【００４３】
また、接続部材６は、施工時に、図７に示すように、上端の突出高さが異なる複数種の下部材６６から、水返し片２３や設置部２４、或いは第１，第２の止水部材９１，９２の上下方向の寸法（上下寸法）に応じた突出量の下部材６６が選択的に用いられる。また、接続部材６は、水返し片２３や設置部２４の形状が互いに異なるユニット１の間を接続するものであってもよい。この場合では、例えば、図８に示すように、第２当接片６２と第２当接片６３とで上下寸法が異なる上部材６１や、左端と右端とで高さ位置が異なる上部材６１を選択的に用いて、互いに異なる水返し片２３や設置部２４の形状に対応すればよい。
【００４４】
このように、接続部材６は、用いる上部材６１や下部材６６を変更することで、ユニット１毎の水返し片２３や設置部２４、或いは第１，第２の止水部材９１，９２等の上下寸法の違いを解消し易くすることができる。これによって、本システムは、隣り合うユニット１の位置決め・保持を行い易くすることができる。
【００４５】
連通口５は、図１乃至３に示すように、第１ユニット１１ａの右端（第１開口部１２ａ）と第２ユニット１１ｂの左端（第２開口部１２ｂ）とに跨って設けてある。本システムは、連通口５によって、ユニット１間の空間が、室外となる空間（室内に連通しない空間）と、両ユニット１内を繋ぐ空間（室内に連通した空間）とに区画される。
【００４６】
連通口５は前後方向に幅を有すると共に、上下方向に高さを有しており、この幅及び高さは、この幅及び高さの開口を人が往来可能な程度となる寸法になっている。言い換えると、連通口５は、人が往来可能な程度に開口している。そして、連通口５は、所定の幅を有すると共に、幅方向が前後方向に沿って位置する。なお、連通口５の幅（前後方向の開口寸法）は、人が車椅子等で往来可能な程度の寸法であってもよい。
【００４７】
更に、連通口５は、側面視矩形枠状の枠体５１と、枠体５１内に開閉自在で配置される仕切り（不図示）とを備える。枠体５１は、左右方向に向かい合う両開口部１２（第１開口部１２ａ及び第２開口部１２ｂ）に跨って設けてある。そして、枠体５１は、図９に示すように、下枠部５２と、上枠部５４と、縦枠部５３とで形成してある。
【００４８】
下枠部５２は、図１０，１１に示すように、第１開口部１２ａの下端部１２１と、第２開口部１２ｂの下端部１２１と（両設置面２５）に跨って配置してある。下枠部５２は、前後方向に長尺の正面視（幅方向に視て）矩形筒状に形成してある。下枠部５２は、筒の下面を開口部１２の下端部１２１に当接・載置される。そして、下枠部５２は、ねじ等の固着具８（第３の固着具８３）で、開口部１２の下端部１２１に固定される。
【００４９】
下枠部５２には、上方に開口した溝部５５が二つ設けてある。二つの溝部５５のうち、一方の溝部５５（第１溝部５５ａ）は、下枠部５２の第１開口部１２ａの下端部１２１の上方に位置する。そして、残り一方の溝部５５（第２溝部５５ｂ）は、下枠部５２の第２開口部１２ｂの下端部１２１の上方に位置する。
【００５０】
溝部５５は、下枠部５２の上面部より下方に凹んだ形状になっている。そして、溝部５５は、前後方向に長尺に形成してあり、前後方向において下枠部５２の略全長に亘って位置する。このため、溝部５５は、上方に加えて前後方向にも開口している。更に、第３の固着具８３で開口部１２の下端部１２１に下枠部５２を取り付けた状態において、溝部５５は第３の固着具８３の頭部が底面に当接される。この状態において、第３の固着具８３の頭部は、下枠部５２の上面より下方（溝部５５内）に位置する。
【００５１】
言い換えると、溝部５５は、下枠部５２から突出させずに第３の固着部を設置するための凹みとして機能する。更に、下枠部５２は、開口部１２の下端部１２１に固定した状態で、第３の固着具８３を溝部５５に収容する。
【００５２】
また、溝部５５は、図１２に示すように、前後方向の両端部に夫々、止水部材９（第３の止水部材９３）が配置される。第３の止水部材９３は、矩形のブロック形状になってあり、例えば止水ブロック９３１になっている。
【００５３】
止水ブロック９３１は、図１３に示すように、例えば、角柱状の基部９３３と、基部９３３の略全体を覆う被覆部９３２とで形成してある。そして、止水ブロック９３１は、被覆部９３２が止水部材９としての機能を有する。このため、止水ブロック９３１は、基部９３３が止水部材９としての機能を有さないものであってもよい。つまり、基部９３３は、少なくとも、溝部５５に被覆部９３２を密着させるためのスペーサとして機能するものであればよい。もちろん、第３の止水部材９３は、止水ブロック９３１に限らず、止水部材９として機能する材料をブロック形状に形成したものであってもよい。
【００５４】
また、下枠部５２は、溝部５５間に位置する上面（以下、溝部５５間の上面とする）に、シート部材（不図示）が配置してある。このシート部材は、前記溝部５５間の上面の略全体に亘って設けてある。そして、このシート部材は、例えばクッション性を有する等で、利用者が連通口５を通る際の騒音を生じ難くしたり軽減したりする所謂音鳴り防止部材となっている。
【００５５】
更に、下枠部５２は、図１２に示すように、前記溝部５５間の上面（前記シート部材の上面）の前後方向の両端部に、第４の止水部材９４が載置してある。第４の止水部材９４は、例えば板状部材で形成してあり、その板面が前記溝部５５間の上面に当接してある。そして、第４の止水部材９４は、左右方向に長尺になっており、この寸法が前記溝部５５間の上面の左右方向の全長と略同じ寸法になっている。また、下枠部５２は、前記溝部５５間の上面において、第４の止水部材９４を配置した部位より左右方向の中央側に、両面テープが設けてある。
【００５６】
連通口５は、図１４に示すように、溝部５５閉塞用のカバー７１を備える。カバー７１は、板状部材で形成してあり、板面を上下方向に向けて下枠部５２の上方に配置される。そして、カバー７１は、平面視において、前後方向の寸法及び左右方向の寸法が下枠部５２と略同寸になっている。また、カバー７１は、図１５に示すように、前記両面テープ等によって、下枠部５２に脱着自在で取り付けられる。これによって、カバー７１は、溝部５５の上端を閉塞して下枠部５２の上面を覆う。
【００５７】
更に、カバー７１は、下面（下方を向く板面）に、第５の止水部材９５が設けてある。第５の止水部材９５は、前後方向に長尺に形成してあり、その寸法が両止水ブロック９３１の前後方向の間と略同じ寸法になっている。
【００５８】
第５の止水部材９５は、溝部５５と同数（本例では二つ）設けてあり、各々が溝部５５に配置される。そして、第５の止水部材９５は、溝部５５の室内側に近い壁面に当接される。具体的には、一つの第５の止水部材９５が、第１溝部５５ａの左側の壁面に当接され、他の一つの第５の止水部材９５が、第２溝部５５ｂの右側の壁面に当接される。
【００５９】
連通口５は、カバー７１を下枠部５２に取り付けることで、第３，第４，第５の止水部材９３，９４，９５によって、床パン２側から溝部５５への水の侵入が抑制される。言い換えると、溝部５５は、カバー７１を取り付けることで防水される。このため、連通口５は、第３の固着具８３への水の侵入を抑制することができる。
【００６０】
縦枠部５３は、第１開口部１２ａに位置する第１側端片３１ａと、第２開口部１２ｂに位置する第２側端片３１ｂとに跨って配置してある。縦枠部５３は、上下方向に長尺の正面視矩形の板状部材で形成してあり、その板面が前後方向を向いて配置される。縦枠部５３は、その下端を両開口部１２の下端部１２１に当接・載置される。
【００６１】
そして、縦枠部５３は、図１６に示すように、下枠部５２の前後方向の端部に、この端部を閉塞するシーラー等のテープ状部材を介在して、ねじ等の固着具８（第４の固着具８４）で、下枠部５２に固定される。以下、縦枠部５３は、下枠部５２に当接した板面（連通口５の開口側を向く板面）を内面とし、反対側の板面を外面とし、この外面の向く向きを（枠体５１の）外側とする。
【００６２】
更に、縦枠部５３は、左右方向の両端部の外面に夫々、膨出部５３ａが設けてある。膨出部５３ａは、平面視矩形筒状で前後方向に沿って突出している。言い換えると、膨出部５３ａは、縦枠の外面から外側に突出している。そして、膨出部５３ａは、筒内部の上下方向の両端部に夫々、第６の止水部材９６が設けてある。縦枠部５３は、膨出部５３ａにおいて、第６の止水部材９６を貫通して第４の固着具８４が取り付けてある。このため、縦枠部５３は、その下端や第４の固着具８４を挿通した挿通孔等から膨出部５３ａ内への水の侵入を抑制される。
【００６３】
また、縦枠部５３は、各膨出部５３ａの外面に夫々、異なる一方のユニット１の側端片３１が当接される。縦枠部５３の膨出部５３ａには、ねじ等の固着具８（第５の固着具８５）が挿通される。これによって、縦枠部５３は、側端片３１に固定される。
【００６４】
更に、縦枠部５３の外側には、補強部材７２が配置してあり、補強部材７２は壁パネル３の裏面側に位置する。補強部材７２は、上下方向に長尺の平面視矩形Ｕ字の板状部材で形成してあり、その上下寸法が縦枠部５３と略同寸になっている。補強部材７２は、板面が左右方向を向き、Ｕ字の端部が夫々縦枠部５３の外側（縦枠部５３から離れる方向）を向いている。補強部材７２の板面は、左右方向に並ぶ両側端片３１（開口部１２の側端）に跨って位置する。そして、補強部材７２は、縦枠部５３側を向く板面が側端片３１に当接され、Ｕ字の端部が壁パネル３の裏面に当接される。
【００６５】
このため、縦枠部５３の外側には、側端片３１、補強部材７２が、この順番で配置される。そして、側端片３１は縦枠部５３と補強部材７２とに当接してある。更に、縦枠部５３は、第５の固着具８５によって、側端片３１を介在して補強部材７２に固定される。
【００６６】
上枠部５４は、図９に示すように、前後方向に長尺で正面視矩形Ｕ字の板状部材で形成してあり、その前後寸法（幅寸法）が下枠部５２と略同寸になっている。そして、上枠部５４の前後方向の端部には、シーラー等のテープ状部材が配置してあり、この端部を閉塞している。更に、上枠部５４の前記端部は、図１６に示すように、前記テープ状部材を介在した状態で、ねじ等の固着具８（第６の固着具８６）によって、縦枠部５３の上端部に固定される。
【００６７】
また、上枠部５４は、壁パネル３上端部の凹部３３と略同形の凹部５４ａが、Ｕ字の端部に設けてある。具体的には、上枠部５４の左側の端部に、第１壁パネル３ａの凹部３３と略同形の凹部５４ａが設けてあり、この左側の凹部５４ａが、第１壁パネル３ａの凹部３３と前後方向に並ぶ。更に、上枠部５４は、この左側の凹部５４ａを形成する部位の上端に、第１天井パネル４ａの外周端が載置される。そして、上枠部５４は、この部位の室外側の面（裏面）に、第１垂下片４１ａを当接した状態で、第１の固着具８１によって第１天井パネル４ａが固定される。
【００６８】
そして、上枠部５４の右側の端部には、第２壁パネル３ｂの凹部３３と略同形の凹部５４ａが設けてあり、この右側の凹部５４ａが、第２壁パネル３ｂの凹部３３と前後方向に並ぶ。更に、上枠部５４は、この右側の凹部５４ａを形成する部位の上端に、第２天井パネル４ｂの外周端が載置される。そして、上枠部５４は、この部位の室外側の面（裏面）に、第２垂下片４１ｂを当接した状態で、第１の固着具８１によって第２天井パネル４ｂが固定される。
【００６９】
このため、天井パネル４は、上枠部５４と壁パネル３とに固定されて、壁パネル３の上方に取り付けられる。更に、上枠部５４の凹部５４ａ及び壁パネル３の凹部３３には、図３や図１０に示すように、シーリング材等の第７の止水部材９７が取り付けられる。これによって、本システムは、天井パネル４と壁パネル３及び枠体５１とを防水する。
【００７０】
このように、本システムにおいて、第１ユニット１１ａ及び第２ユニット１１ｂは、浴室設備１５を一つ或いは複数備える。浴室設備１５は、例えば、浴槽１５１やシャワー浴装置１５２等の入浴設備１５ａや、水栓装置１５３や、シャワー装置１５４等になっている。
【００７１】
第１ユニット１１ａでは、例えば、室内の右側の浴槽１５１設置用のスペースに浴槽１５１が設置され、後側の壁面に前記洗面台（水栓装置１５３及びシャワー装置１５４）が設置される。第２ユニット１１ｂでは、例えば、室内の左側の浴槽１５１設置用のスペースに浴槽１５１が設置され、後側の壁面に前記洗面台が設置される。更に、各ユニット１には、浴槽１５１への出入りや前記洗面台等の利用等を補助するための手摺りが、壁面の各所に設けてある。なお、水栓装置１５３やシャワー装置１５４は、前記洗面台に限らない。
【００７２】
このため、本システムは、ユニット１を複数種（二つ以上）備えると共に、各ユニット１間を連通口５で連通させたことで、ユニット１間を容易に往来することができて、ユニット１間の移動時に前記外部空間を介さずに済む。これによって、本システムは、複数種のユニット１を一つの浴室（ユニット１ルーム）として利用することができる。
【００７３】
更に、本システムは、例えばユニット１毎に異なる浴室設備１５（諸設備）を備える等で、利用者の身体能力や体調や好み等に応じて、利用する浴室設備１５を選択・変更することができる。そして、本システムは、入浴設備１５ａを備えたユニット１を少なくとも二つ有したことで、体調や好み等に応じて利用する入浴設備１５ａを選択したり、各入浴設備１５ａを夫々利用したり（複数人が一度に入浴したり）することができる。
【００７４】
更に、連通口５は人が往来可能な程度に大きな開口になっているため、ユニット１によっては、連通口５の設置に伴う壁の強度低下等で、天井設備や浴室設備１５等に重量制限がかかることがある。ここで、本システムは、枠体５１や接続部材６や補強部材７２を設けたことで、壁パネル３や床パン２を補強することができて、換気装置や暖房装置等の天井設備や浴室設備１５等における重量制限を生じ難くすることができる。
【００７５】
また、本システムは、第１ユニット１１ａと第２ユニット１１ｂとで形成したものに限らない。例えば、本システムは、図１７（ａ）に示すように、前記洗面台をシャワー浴装置１５２に変更した第１ユニット１１ａと、後側に浴槽１５１を設置した第３ユニット１１ｃとで形成してもよい。
【００７６】
また例えば、本システムは、図１７（ｂ）に示すように、前記洗面台をシャワー浴装置１５２に変更した第２ユニット１１ｂと、入浴者昇降用リフト付きの浴槽１５１（所謂介護用浴槽）を備えた第４ユニット１１ｄとで形成したりしてもよい。この場合、入浴を介助する介助者は、老人や病人等の被介助者を介護用浴槽に入浴させた際に、この被介助者の様子を容易に確認可能な状態で、第２ユニット１１ｂの浴槽１５１への入浴等を行うことができる。言い換えると、本システムでは、介助者が安心して入浴等を行うことができる。これによって、本システムは、介助者の負担を軽減し易くしたり、介助者にリラックスタイムを提供し易くしたりすることができる。
【００７７】
また、本システムは、例えば、介護施設や養護施設等に用いた場合、連通口５によって、介助者等が脱衣室等の前記外部空間を介さずに直接ユニット１間を往来することができる。これによって、前記場合には、介助者等の負担を軽減したり、入浴者が前記外部空間を介して移動することによる湯冷め等を生じ難くしたりすることができる。更に、この場合には、例えばユニット１に比べて広くし易い脱衣室で複数人を纏めて脱衣させて、この複数人を各ユニット１に移動させて一度に入浴させたり、入浴者の身体能力等に応じた浴室設備１５を利用したりし易くすることができる。
【００７８】
また、ユニット１は、浴室ユニット１１に限らず、洗面化粧台１６ａ等の洗面設備を備えた洗面ユニット１６や、脱衣所設備（具体的な設備をご教示下さい）を備えた脱衣所ユニット１等であってもよい。また、ユニット１は、水洗便器等の便所設備を備えた便所ユニット１や、浴室設備１５及び便所設備を備えた浴室便所ユニット１や、洗面設備及び脱衣所設備を備えた洗面脱衣所ユニット等であってもよい。そして、ユニット１は、複数種の浴室設備１５等の同種の諸設備を複数備えたものであってもよく、浴室設備１５と便所設備等の異種の諸設備を複数備えたものであってもよい。言い換えると、ユニット１は、浴室設備１５、洗面設備、脱衣所設備、便所設備等の諸設備のうち、少なくともいずれか一つの設備を備えるものや、これらの諸設備のいずれか二つ以上を複合して有した設備を備えるものであればよい。
【００７９】
また、ユニットシステムは、二つのユニット１で形成したものに限らず、三つ以上のユニット１で形成したものであってもよい。この場合のユニットシステムとして、例えば、図１８に示すように、二つの浴室ユニット１１と一つの洗面ユニット１６とで形成した例を説明する。
【００８０】
この例では、三つのユニット１が直線状に並ぶ。洗面ユニット１６は、浴室ユニット１１の間に位置する。洗面ユニット１６はユニット１の並ぶ直線上で対向する壁面に夫々、開口部１２が設けてあり、各浴室ユニット１１は洗面ユニット１６の開口部１２に向かい合って開口部１２が設けてある。そして、洗面ユニット１６の開口部１２と浴室ユニット１１６の開口部１２との間には夫々、連通口５が設けてあり、洗面ユニット１６と各浴室ユニット１１が連通・接続してある。
【００８１】
なお、ユニットシステムは、二つ以上のユニット１で形成する場合、入浴設備１５ａを備えたユニット１を二つ以上有するものが好ましい。また、三つ以上のユニット１で形成した場合では、直線状に並べたものに限らず、一部のユニット１を前後方向に並べる等で、平面視Ｌ字状に並べたものであってもよい。
【００８２】
なお、本発明は、実施形態の構成のみに限定されるものではなく、本発明の意図する範囲内であれば、適宜の設計変更を行うことや、各例の構成を組み合わせて用いることが可能である。
【符号の説明】
【００８３】
１  ユニット
１１  浴室ユニット
１１１  出入口
１２  開口部
１５  浴室設備
１５ａ  入浴設備
２  床パン
２２  立上り片
３  壁パネル
３１  側端片
５  連通口
５１  枠体
５２  下枠部
５３  縦枠部
５５  溝部
６  接続部材
６１  上部材
６６  下部材
７１  カバー
７２  補強部材
８  固着具
９  止水部材
【図１】
2014080759.tif 000003
【図２】
2014080759.tif 000004
【図３】
2014080759.tif 000005
【図４】
2014080759.tif 000006
【図５】
2014080759.tif 000007
【図６】
2014080759.tif 000008
【図７】
2014080759.tif 000009
【図８】
2014080759.tif 000010
【図９】
2014080759.tif 000011
【図１０】
2014080759.tif 000012
【図１１】
2014080759.tif 000013
【図１２】
2014080759.tif 000014
【図１３】
2014080759.tif 000015
【図１４】
2014080759.tif 000016
【図１５】
2014080759.tif 000017
【図１６】
2014080759.tif 000018
【図１７】
2014080759.tif 000019
【図１８】
2014080759.tif 000020